(57)【特許請求の範囲】
【請求項１】
押鍵に基づきハンマーが打弦動作を開始してから実際に打弦を行なうまでの間の所定の停止位置でハンマーシャンクに当接して、該ハンマーシャンクの移動を阻止する長尺状のレール部と、
該レール部の長手方向に沿って設けられ、前記ハンマーシャンクが該レール部に当接する際の衝撃を吸収する緩衝部材と、
前記レール部を、該レール部の両端部と該両端部の間に位置する一又は複数の中間部にて夫々支持すると共に、該レール部を、前記ハンマーシャンクの移動を阻止する前記停止位置と、該停止位置から退避して前記ハンマーによる打弦を可能にする退避位置とに変位可能に支持する複数の支持機構と、
該支持機構を保持すると共に、打弦機構部材に固定されるベース部材と、
前記支持機構により支持された前記レール部を付勢して前記退避位置に移動させる付勢手段と、
該レール部を、外部操作により該付勢手段の付勢力に抗して牽引して前記停止位置に移動させる牽引手段と、
を備え、
前記中間部に位置する支持機構を保持するベース部材の少なくとも一つが、前記ハンマーシャンクとは反対側に位置する前記ピアノのフレームの一部に当接することを特徴とするピアノの止音装置。
【請求項２】
前記ベース部材が、前記レール部に対応して平行に延びるレール状に形成され、少なくともその両端部が前記打弦機構部材に固定され、
該ベース部材に、前記中間部に位置する支持機構が保持されたことを特徴とする請求項１記載のピアノの止音装置。
【請求項３】
前記ベース部材が、断面Ｌ字状に形成されたことを特徴とする請求項２記載のピアノの止音装置。
【請求項４】
前記フレームの一部に当接するベース部材は、該フレームに向けて突出量を調整可能な調整部材を備え、
該調整部材で前記フレームに当接することを特徴とする請求項１〜３のいずれかに記載のピアノの止音装置。
【請求項５】
前記各支持機構は、
一端が前記ベース部材側に設けられた回動軸に回動可能に取り付けられ、他端が前記レール部側に設けられた回動軸に回動可能取り付けられたクランク部材を備え、
該クランク部材を前記回動軸周りに回動させることで、前記レール部を、前記停止位置と前記退避位置との間で変位させるように構成されたことを特徴とする請求項１〜４のいずれかに記載のピアノの止音装置。
【請求項６】
前記中間部に位置する少なくとも一つの支持機構の前記各回動軸が、前記両端部に位置する支持機構の対応する各回動軸を互いに結ぶ線上からずれた位置に配置されたことを特徴とする請求項５記載のピアノの止音装置。
【発明の詳細な説明】
【０００１】
【発明の属する技術分野】
本発明は、押鍵に基づく打弦動作時にハンマーシャンクの移動を阻止して、ハンマーの打弦による発音を防止するピアノの止音装置に関する。
【０００２】
【従来の技術】
従来より、アコースティックピアノに電子音源を組み合わせて、ハンマーの打弦による通常のアコースティック演奏モードに加え、電子音源による演奏モードにも切り換え可能な複合ピアノがある。この種の複合ピアノにおいては、電子音源を使った演奏時にハンマーの打弦による発音を防止する消音演奏モードに切り替える必要があり、通常演奏モードと消音演奏モードが選択的に切り替えられるようになっている。すなわち、通常演奏モードでは押鍵に伴ってハンマーが打弦するのに対し、消音演奏モードではハンマーによる打弦を止音装置により阻止する一方、押鍵動作を検知して、これに応じた楽音を出力したり記録したりすることができる。
【０００３】
このピアノの止音装置としては種々提案されているが、一般的には、打弦動作時に緩衝部材が設けられたストップレールをハンマーシャンクに当接させ、このハンマーシャンクの移動を停止させる装置が採用されている。
ところで、このようにストップレールを用いてハンマーシャンクの移動を停止させる場合、ハンマーシャンクの移動の停止によって、鍵盤のタッチ感に影響を与えることがないようにすることが望ましく、そのためには、ハンマーが弦に当接する直前まで、ハンマーシャンクを通常通りに移動させる必要がある。そして、こうした要求を満足し、その耐久性も考慮すると、ストップレールとして、ハンマーシャンクを広範囲で且つ強固に押え込むことのできる幅の広いものを使用することが望ましい。
【０００４】
このような止音装置の具体的構成として、従来、ストップレールをその長手方向に沿った軸回りに回動させ、このストップレールの緩衝部材が設けられた側をハンマーシャンクの移動範囲への進退させるものが採用されていた。しかし、かかる構成ではストップレールの幅を大きくとるとその回動半径が大きくなりスペース上の問題を生じさせるため、近年では所謂クランク運動（揺動運動）によりストップレールをハンマーシャンクの移動範囲への進退させる装置が提案されている。
【０００５】
例えば、特許第２９０１８６４号公報には、グランドピアノにおいてクランク運動によりストップレールを進退させる構成が開示されており、特開２０００−２１４８４２号公報には、アップライトピアノにおいて同様のものが開示されている。これらの止音装置の概略構成及びその動作を図７に示す。
【０００６】
すなわち、これら従来の止音装置は、緩衝部材としての発泡ウレタン１１１を備えたストップレール１１０と、ストップレール１１０の両端を揺動可能に支持する一対の支持機構１２０ａ，１２０ｂと、ストップレール１１０を一方の支持機構１２０ｂ側に吸引する付勢部材としてのコイルスプリング１３１と、一端がストップレール１１０の支持機構１２０ａ側に固定され、外部操作によってストップレール１１０を支持機構１２０ａ側に牽引する牽引部材としてのワイヤ１３２とから構成されている。
【０００７】
そして、図７（ａ）に示すように、外部操作によってワイヤ１３２が支持機構１２０ａ側に引っ張られることにより、ストップレール１１０がハンマーシャンク１２１の移動を阻止する停止位置に位置決めされて、ハンマーによる打弦を禁止し、図７（ｂ）に示すように、外部操作によってワイヤ１３２による牽引を解除したときに、ストップレール１１０が停止位置より上方の退避位置に位置決めされて、ハンマーによる打弦が可能となる。
【０００８】
【発明が解決しようとする課題】
しかしながら、上述したストップレール１１０の長さは、ピアノのアクション全域に対応するため約１．３ｍ程度の長さとなる。このため、かかる構成においてストップレール１１０の長手方向の中央部では、ハンマーシャンク１２１の衝突による撓みが大きくなり、特に複数鍵の強打がなされた場合には、ハンマーによる打弦を確実に防止することができず、発音されてしまうことがあった。また、ストップレール１１０の自重による撓みもあるため、このストップレール１１０を強固な部材、構成にする必要があった。
【０００９】
本発明は、こうした問題に鑑みなされたもので、長尺状のストップレールを進退させるタイプの止音装置において、消音時におけるハンマーによる打弦を確実に防止することを目的とする。
【００１０】
【課題を解決するための手段】
上記課題に鑑み、請求項１に記載のピアノの止音装置は、押鍵に基づきハンマーが打弦動作を開始してから実際に打弦を行なうまでの間の所定の停止位置でハンマーシャンクに当接し、このハンマーシャンクの移動を阻止する長尺状のレール部を備える。このレール部には、その長手方向に沿って緩衝部材が設けられており、ハンマーシャンクがレール部に当接する際の衝撃を吸収する。
【００１１】
そして、ピアノ内部に固定されたベース部材に保持された支持機構が、上記レール部を、その両端部とこの両端部の間に位置する一又は複数の中間部にて夫々支持すると共に、このレール部を、ハンマーシャンクの移動を阻止する停止位置と、この停止位置から退避してハンマーによる打弦を可能にする退避位置とに変位可能に支持する。この支持機構は、打弦機構部材に固定されたベース部材によって保持されている。尚、ここでいう「打弦機構部材」とは、例えばピアノのアクション機構をその両端で支持する公知のアクションブラケットや、そのアクションブラケット間に架橋されたセンターレールの中間部に配設された支持部材等を意味する。
【００１２】
そして、付勢手段により、上記支持機構により支持されたレール部をその長手方向に付勢して退避位置に移動させ、また、外部操作によって動作する牽引手段により、このレール部を付勢手段の付勢力に抗して牽引して停止位置に移動させることにより、上記レール部を停止位置又は退避位置に位置決めする。また、上記中間部に位置する支持機構を保持するベース部材の少なくとも一つは、ハンマーシャンクとは反対側に位置するピアノのフレームの一部に当接する。
【００１３】
かかる構成では、支持機構が、上記レール部をその両端部のみならず中間部においても支持するため、その両端部でのみ支持する従来の構成に比べ、レール部をその全長にわたって強固に支持することができる。また、支持機構による支持位置のスパンを短くとることができる。この結果、レール部中央部での撓みを抑制することができ、このレール部の撓みに起因する打弦を効果的に防止することができる。
また、レール部は、支持機構及びベース部材を介してピアノのフレームにしっかりと支持されるため、レール部の中間部における撓みを効果的に防止することができる。
【００１４】
このレール部の両端を支持する支持機構を保持するベース部材は、通常アクションを支持するアクションブラケットに夫々固定されている。このため、本願構成を実現する場合の方法としては、例えば請求項２に記載のように、ベース部材を、レール部に対応して平行に延びるレール状に形成し、このベース部材に上記中間部に位置する支持機構を保持することが考えられる。
【００１５】
この場合、請求項３に記載のように、ベース部材を断面Ｌ字状に形成すると、ベース部材自体の剛性を高め、その撓みを少なくすることができるため、レール部を支持機構を介してより安定して支持することができる。
また、ピアノのフレームとレール部との間には多数の弦が存在するが、フレームには通常その補強のために各音域の境界に沿ってリブ部分が設けられ、このリブ部分は弦よりもレール部側に突出している。また、弦が交差する部分ではフレーム上に弦のない空領域がある。このため、フレームのこのような部分又は領域を利用して、ベース部材を、直接又は調整部材を介してハンマーシャンクとは反対側に位置するフレームに当接させることにより、当該ハンマーシャンクの衝突に対して支持機構を一層強固に固定することができる。
【００１７】
また、請求項４に記載のように、ベース部材からフレームに向けて突出量を調整可能な調整部材を備える構成とすれば、ピアノの組立のバラツキによらず、ベース部材をフレームに当接させることができるので、ピアノによらず、強固にベース部材を支持することができる。
【００１８】
また、上記支持機構の具体的構成としては、請求項５に記載のように、一端がベース部材側に設けられた回動軸に回動可能に取り付けられ、他端がレール部側に設けられた回動軸に回動可能に取り付けられたクランク部材を備え、このクランク部材を各回動軸周りに回動させることで、レール部を、上記停止位置と退避位置との間で変位させるように構成されたものが考えられる。
【００１９】
この場合には、各回動軸が同一直線状に配置されるように構成するのが普通だが、ピアノ内部の弦やダンパー等の配置により、特に中間部に位置する支持機構及びベース部材の配置態様に制約がかかることがある。つまり、中間部に位置する回動軸を、両端に位置する回動軸を結ぶ線上に配置できない場合がある。その場合には、当該中間部に位置する回動軸の位置を上下又は前後方向に移動させることが必要となる。
【００２０】
そこで、請求項６に記載のように、上記中間部に位置する少なくとも一つの支持機構の各回動軸が、上記両端部に位置する支持機構の対応する各回動軸を互いに結ぶ線上からずれた位置に配置されたように構成してもよい。
この場合、クランク部材の回転半径が同じで、レール部材側の回動中心と、ベース部材側の回動中心とが、各々平行移動した状態に調整すれば、その回動運動に支障が生じることはない。
【００２１】
【発明の実施の形態】
以下、本発明の好適な実施例を図面に基づいて説明する。
本実施例は、本発明の止音装置をアップライトピアノに適用したものであり、図１は当該止音装置の斜視図であり、図２は当該止音装置が設けられたアップライトピアノのアクション機構の概略構成図である。
【００２２】
尚、本実施例のアップライトピアノは、図示しない電子音源を備え、鍵盤の操作によって電子音源から演奏音を発生できるようにされた複合ピアノであり、電子音源からの演奏音を、外部に放音することなくヘッドホンを介して聴くことができるようにされている。
【００２３】
図２に示すように、本実施例にかかるアップライトピアノの打弦機構は、演奏者の操作によって揺動する鍵１１と、鍵１１が押されると上昇するキャプスタンスクリュー１２と、ウイッペンフレンジ１３を介してセンターレール１４に回動可能に支持され、キャプスタンスクリュー１２の上昇によって上向きに回動するウイッペン１５と、ウイッペン１５に回動可能に連結され、ジャックテール１７ａがレギュレチングボタン１６に当接するまでウイッペン１５と共に上昇するジャック１７と、ジャック１７に対して当接・離間すると共に、センターレール１４に固着されたバットフレンジ１８ａのセンターピン１８ｂに回動可能に支持されるバット１８と、バット１８に連結され、バット１８がジャック１７により突き上げられると反時計回りに回動するハンマーシャンク２１と、ハンマーシャンク２１と直交する方向へ突出するようバット１８に突設されたキャッチャシャンク１９と、キャッチャシャンク１９の先端に装着されたキャッチャ２０と、ハンマーシャンク２１の先端に装着されたハンマー２３と、ハンマー２３によって叩かれる弦２５と、打弦後に揺り戻したハンマーシャンク２１の側部と当接してハンマー２３の振動を緩和する緩衝部材２８ａを装着したハンマーレール２８とを備えている。
【００２４】
そして、ハンマーシャンク２１の後方（図中左方）には、打弦動作時にハンマーシャンク２１に当接してその移動を阻止する断面Ｌ字状のストップレール３０（レール部）が配設されている。なお、ストップレール３０のハンマーシャンク２１への当接面には、ハンマーシャンク２１当接時の衝撃を吸収する緩衝部材として、発泡ウレタン３２が設けられている。
【００２５】
次に、本実施例の止音装置について詳細に説明する。
図１に示すように、本実施例の止音装置は、発泡ウレタン３２を備えた上述のストップレール３０と、このストップレール３０の両端部及びその中間部を、ハンマーシャンク２１への近接及び離間方向に揺動可能に夫々支持する支持機構４１，４２，４３と、これら支持機構４１，４２，４３を夫々保持するベース部材５１，５２，５３と、ストップレール３０を一端の支持機構４３側に吸引する付勢部材としてのコイルスプリング５５と、ストップレール３０の他端の支持機構４１側に接続され、外部操作によってストップレール３０を支持機構４１側に牽引する牽引部材としてのワイヤ５６とから構成されている。
【００２６】
ここで、支持機構４１は、図３にその分解斜視図を示すように、ストップレール３０側に固定されるレール側部材６１、ベース部材５１側に固定されるベース側部材６２、及び、これらレール側部材６１とベース側部材６２とを互いに接続する接続部材６３から構成されている。
【００２７】
レール側部材６１は、Ｌ字断面を有する金属製の取付部材６４と、円筒状の本体側面から平面状のフランジ部６５ａが延設された樹脂製のボス部材６５とから構成される。ボス部材６５は、そのフランジ部６５ａにて取付部材６４に螺合固定されており、取付部材６４は、その上壁に設けられたネジ孔６４ａに対し、ストップレール３０に設けられたスリット３０ａを介してネジＮ１を螺合させることにより、ストップレール３０に固定される。
【００２８】
ベース側部材６２は、樹脂製であり、ボス部材６５とほぼ同様の形状を有し、そのフランジ部６２ａにてベース部材５１の後壁５１ｂに螺合固定されている。
接続部材６３は、樹脂を一体成形、又は金属板に円柱状の丸棒を加締め又は溶接により結合して構成されており、長方平板状のクランク部材６３ａと、このクランク部材６３ａの長手方向の両端部の下面に夫々下方に突設されたピン状の回動軸６３ｂ，６３ｃと、その前方の回動軸６３ｃ付近にてクランク部材６３ａの上面に上方に突設されたピン状の回動軸６３ｄとから構成されている。
【００２９】
そして、回動軸６３ｂが、ベース側部材６２の本体を貫通する円孔６２ｂに上方から挿通され、回動軸６３ｄが、ボス部材６５の本体を貫通する円孔６５ｂに下方から挿入されることにより、支持機構４１が形成されると共に、ストップレール３０の一端部が当該支持機構４１を介してベース部材５１に支持される。
【００３０】
また、接続部材６３の回動軸６３ｃには、ワイヤ接続部材５７が回動可能に接続される。すなわち、ワイヤ接続部材５７は、Ｌ字状に形成された金属製の取付部材５８に対して、上記ボス部材６５と同様の形状を有するボス部材５９が螺合固定されて構成される。取付部材５８には係止孔５８ａが設けられ、ワイヤ５６の先端に設けられた係止部５６ａを挿通して係止可能になっている。また、ボス部材５９の本体を貫通する円孔５９ａには、接続部材６３の回動軸６３ｃが上方から挿通され、ワイヤ接続部材５７が、ベース部材５１と接続部材６３との間に挟持される態様で回動可能に接続されているため、ワイヤ５６は、この回動軸６３ｃを中心に揺動できるようになっている。
【００３１】
また、支持機構４２，４３は、接続部材６３の回動軸６３ｃに相当するものがない点を除いては、支持機構４１とほぼ同様の構成を有する。このため、その詳細な説明については省略する。
図１に戻り、ベース部材５１は、長方形状の金属板を折り曲げて形成され、上記ワイヤ接続部材５７を載置するための水平面を有する座部５１ａと、座部５１ａの後端縁から直角方向上方に延設され、上記ベース側部材６２を固定するための後壁５１ｂと、座部５１ａの前端縁から直角方向下方に延設された前壁５１ｃとから構成されている。この前壁５１ｃには小円孔５１ｄが設けられている。
【００３２】
また、ベース部材５２、５３は、共にベース部材５１とほぼ同様の構成を有するが、ベース部材５３の後壁５３ａの上端部には係止部５３ｂが後方に延設されている。そして、コイルスプリング５５の一端がこの係止部５３ｂに固定され、他端がストップレール３０に上方に突設された係止部３０ｂに固定されている。また、ベース部材５２，５３の夫々の前壁５２ａ、５３ｃには、夫々小円孔５２ｂ，５３ｄが設けられている。
【００３３】
そして、両端に位置するベース部材５１、５３は、各々の小円孔５１ｄ，５３ｄにネジを挿通することにより、夫々アクションブラケットＡＢに螺合固定される。また、中間に位置するベース部材５２は、小円孔５２ｂにネジＮ２を挿通することにより、センターレール１４に設けられた支持部材１４ａに螺合固定される。こうして、止音装置はピアノ内に固定されることになる。
【００３４】
そして、このように構成された止音装置は、図４の概念図に示すように、その中央のベース部材５２の後壁５２ｃで、ハンマーシャンク２１とは反対側に位置するピアノのフレームの前方に突設されたリブ部１００に当接した状態となっている。尚、図４は、本実施例の止音装置をその上方から見たものである。
【００３５】
次に、本実施例の止音装置の動作について、この図４に基づいて説明する。
図４（ａ）に示すように、外部操作によってワイヤ５６が支持機構４１側に引っ張られることにより、ストップレール３０がハンマーシャンク２１の移動を阻止する停止位置に位置決めされて、ハンマー２３による打弦を禁止する。また、図４（ｂ）に示すように、外部操作によってワイヤ５６による牽引を解除したときに、ストップレール３０が停止位置より後方の退避位置に位置決めされて、ハンマー２３による打弦が可能となる。
【００３６】
すなわち、本実施例の止音装置においては、ストップレール３０の両端部及び中間部が、支持機構４１，４２，４３により、停止位置と退避位置との間を揺動可能に支持されており、しかも一方の支持機構４３側には、ストップレール３０を支持機構４３側に吸引するコイルスプリング５５が設けられ、他方の支持機構４１側には、外部操作によって、ストップレール３０を支持機構４１側に牽引するワイヤ５６が設けられている。このため、ワイヤ５６を操作しない通常時には、図４（ｂ）に示すように、コイルスプリング５５の付勢力によってストップレール３０が支持機構４３側に変位して、打弦時にストップレール３０がハンマーシャンク２１に当接しない退避位置まで後退し、外部操作によってワイヤ５６を引っ張ると、図４（ａ）に示すように、ストップレール３０がコイルスプリング５５の付勢力に抗して、ストップレール３０が支持機構４１側に変位して、ハンマーシャンク２１の移動を阻止する停止位置まで前進するのである。
【００３７】
尚、ワイヤ５６は、その他端が図示しない公知の駆動機構を介してアップライトピアノの下方に設けられた消音ペダルに接続されており、演奏者によるこの消音ペダルの踏み込みにより牽引される。この公知の駆動機構としては、例えば特許第２９０１８６４号公報や特開平２０００−２１４８２８号公報に示されるような駆動機構がある。
【００３８】
以上に説明したように、本実施例の止音装置では、ストップレール３０の両端部のみならず中間部においても支持機構４２及びこれを保持するベース部材５２が設けられ、さらに、このベース部材５２が、アップライトピアノのフレームから前方に突設されたリブ部１００に対し、ハンマーシャンク２１とは反対側で当接している。
【００３９】
このため、ストップレール３０をその両端部でのみ支持する従来の構成に比べ、当該ストップレール３０をその全長にわたって強固に支持することができ、また、支持機構による支持位置のスパンを短くとることができる。そして特に、中間部の支持機構４２を支持するベース部材５２が、フレームのリブ部１００に対して当接することにより、フレームに支持されるため、ストップレール３０がハンマーシャンク２１を受け止めた際に、当該ストップレール３０の中央部がピアノのフレーム側に撓むのを阻止する。この結果、ストップレール３０の中央部での撓みを抑制することができ、この撓みに起因する打弦を効果的に防止することができる。
［変形例１］
本変形例は、図５（ａ）に示すように、上記実施例における支持機構４１，４２，４３を、ストップレール３０に対して平行に延びるレール状のベース部材２５０によって支持する構成を有する。すなわち、上記実施例のように各支持機構４１，４２，４３を、ベース部材５１，５２，５３によって夫々保持するのではなく、一体成形された長尺状のベース部材２５０により保持する構成を有する。
【００４０】
このベース部材２５０は断面Ｌ字状をなし、その長尺状の一辺に各支持機構４１，４２，４３を回動可能に保持する。そして、これと直角な長尺状の一辺の中央部において、フレームのリブ部１００に向けて突出する調整部材７０が設けられている。また、ベース部材２５０の両端部は、図示しないアクションブラケットに固定されている。
【００４１】
この調整部材７０は、図５（ｂ）にその周辺拡大図を示すように、ベース部材２５０の中央付近の所定位置に穿設されたネジ孔２５０ａに、バネワッシャ７２を介して螺合される調整ネジ７１と、調整ネジ７１の先端に装着された緩衝部材７３とから構成され、緩衝部材７３においてリブ部１００の先端面に当接する。そして、調整ネジ７１の螺合深さを適宜変更することにより、リブ部１００の先端面に対するストップレール３０の中央位置を調整することが可能になっている。
【００４２】
かかる構成では、ベース部材２５０を大きくし、さらにその断面をＬ字状にすることで、ベース部材２５０自体の剛性を高め、その撓みを少なくすることができる。このため、ストップレール３０を各支持機構を介してより安定して支持することができる。
【００４３】
また、ストップレール３０、ベース部材２５０、及び支持機構４１，４２，４３により、ストップレール３０が揺動する際に機構上形成される幾何学的リンク形状（平行四辺形）を精度良く構成でき、ストップレール３０の揺動運動が滑らかになる。
【００４４】
さらに、調整部材７０の調整により、ベース部材２５０の中央位置、ひいてはストップレール３０の中央位置の位置調整をすることができるため、ピアノの組立のバラツキによらず、ベース部材２５０をフレームに当接させることができるので、ピアノによらず、強固にベース部材２５０を支持することができる。
［変形例２］
本変形例は、図６に示すように、中間部に位置する支持機構４２の回動軸６７，６８が、両端部に位置する支持機構４１，４３の対応する各回動軸を互いに結ぶ線（図中一点鎖線）上からずれた位置に配置された構成を有する。
【００４５】
これは、ピアノ内部の弦やダンパー等の配置により、中間部に位置する支持機構４２及びベース部材５２の配置態様に制約がかかる場合の構成である。つまり、中間部に位置する支持機構４２の回動軸６７，６８を、両端部に位置する支持機構の各回動軸を結ぶ線上に配置できない場合の構成であり、本変形例では、当該中間部に位置する支持機構４２の回動軸６７，６８の位置を後方に移動させた例が示されている。
【００４６】
本変形例では、このように回動軸の位置がずれているが、各支持部材のクランク部材の回転半径が同じであり、レール部材側の回動中心と、ベース部材側の回動中心とが、各々平行移動した状態に調整されているので、その回動運動に支障が生じることはない。
【００４７】
以上、本発明の実施例について説明したが、本発明の実施の形態は、上記実施例に何ら限定されることなく、本発明の技術的範囲に属する限り種々の形態をとり得ることはいうまでもない。
例えば、上記実施例においては、ストップレール又は支持レールの中間部に一つの支持機構を設けた構成を示したが、このような支持機構を中間部に二つ以上設けてもよい。また、中間の支持機構は、ストップレール又は支持レールの中央に限らず、中央からずれた位置に設けてもよい。
【００４８】
また、上記実施例では、支持機構を介してストップレールを揺動させることにより、ストップレールを、ハンマーシャンクの移動を阻止する停止位置と、この停止位置から退避してハンマーによる打弦を可能にする退避位置との間で変位させる構成を示したが、長尺状のストップレールを進退させるタイプの止音装置であれば、本発明の構成を有効に適用することが可能である。例えば特開平８−１６１５５号公報に開示されるように、所定のリンク機構により長尺状のストップレールを停止位置と退避位置との間で進退させるタイプの止音装置として構成することもできる。
【００４９】
また、上記においては、図５の変形例１の止音装置にて調整部材７０を採用した例を示したが、図４に示した実施例又は図６の変形例２の止音装置においても、同様の調整部材を採用することができる。この場合は、中央のベース部材５２に当該調整部材を設けることになる。
【００５０】
尚、上記実施例においては、本発明の止音装置をアップライトピアノに適用した例を示したが、本発明の止音装置は、グランドピアノにも適用可能であることはいうまでもない。
【図面の簡単な説明】
【図１】  本発明の実施例に係る止音装置の構成を表す斜視図である。
【図２】  実施例の止音装置が取り付けられたアップライトピアノのアクション機構を表す断面図である。
【図３】  実施例の支持機構の構成を表す説明図である。
【図４】  実施例の止音装置の動作を表す説明図である。
【図５】  変形例１に係る止音装置の構成を表す説明図である。
【図６】  変形例２に係る止音装置の構成を表す説明図である。
【図７】  従来の止音装置の構成を表す説明図である。
【符号の説明】
１１・・・鍵、  １４・・・センターレール、  ２１・・・ハンマーシャンク、
２３・・・ハンマー、  ２５・・・弦、  ３０・・・ストップレール、
３０ｂ・・・係止部、  ３２・・・発泡ウレタン、
４１，４２，４３・・・支持機構、
５１，５２，５３，２５０・・・ベース部材、  ５５・・・コイルスプリング、
５６・・・ワイヤ、  ７０・・・調整部材、  １００・・・リブ部、
ＡＢ・・・アクションブラケット
【図１】
0004855611.tif 000002
【図２】
0004855611.tif 000003
【図３】
0004855611.tif 000004
【図４】
0004855611.tif 000005
【図５】
0004855611.tif 000006
【図６】
0004855611.tif 000007
【図７】
0004855611.tif 000008